(57)【要約】【課題】本考案は、光に異なる媒介を通過させ、その屈折率の違いにより、全反射或いは法線から大幅にずれた射出角度を生じさせ、光の側方への分布を更に広範囲にする高効率側射屈折体を提供する。【解決手段】光源収容室と、光源収容室に対向する主屈折面とを具え、屈折体周縁部には、光源から放出された光を屈折させるための第一補助屈折面と第二補助屈折面が形成される。光源収容室には光源を嵌設し、光源から放出された光は、主屈折面によって全反射を起こした後、さらに第一補助屈折面と第二補助屈折面によって屈折される。【選択図】図１
0003160210.tif 000002
【実用新案登録請求の範囲】
【請求項１】
光に異なる媒介を通過させ、その屈折率の違いにより、全反射或いは法線から大幅にずれた射出角度を生じさせる高効率側射屈折体において、
該屈折体は、光源収容室と、該光源収容室に対向する主屈折面とを具え、該光源収容室には光源を嵌設し、該屈折体の周縁部には、該光源から放出された光を屈折させるための、第一補助屈折面と、第二補助屈折面とが形成されることを特徴とする、高効率側射屈折体。
【請求項２】
該光源収容室は光を通過させる透光面を具えることを特徴とする、請求項１に記載の高効率側射屈折体。
【請求項３】
該主屈折面はＶ字型を呈し、該光源から放出された光は、臨界角より大きいため該主屈折面によって全反射を起こすことを特徴とする、請求項１に記載の高効率側射屈折体。
【請求項４】
該主屈折面と該第一補助屈折面の間には所定の第一角度が形成されることを特徴とする、請求項１に記載の高効率側射屈折体。
【請求項５】
該第一補助屈折面と該第二補助屈折面の間には所定の第二角度が形成されることを特徴とする、請求項１に記載の高効率側射屈折体。
【請求項６】
該屈折体周縁部は、該光源収容室の内壁と平行な第三補助屈折面をさらに具えることを特徴とする、請求項１に記載の高効率側射屈折体。
【考案の詳細な説明】
【技術分野】
【０００１】
本考案は高効率側射屈折体に関し、詳しく言うと、光に異なる媒介を通過させ、その屈折率の違いにより、全反射或いは法線から大幅にずれた射出角度を生じさせる高効率側射屈折体に関する。
【背景技術】
【０００２】
従来のＬＥＤランプは、中華民国２００７年２月１１日公告第Ｍ３０６２９９号「ＬＥＤ環状照射ランプ構造」に開示されているように、主に、金属カップの上方に導光部材が設けられ、導光部材の上端内縁には弧面を有し、導光部材の下端部外周には斜切面が設けられてなるが、それは特殊な用途、例えば、パトカーのランプ、高層ビルの警告灯、飛行場の滑走路のガイドランプ、及び一般の警告灯などにしか適用できず、本考案の側射效果に取って代わることはできない。また、中華民国９７年１２月２１日公告第Ｍ３４７５２０号「反射屈折式グレア防止光源」においては、屈折体が金属反射ランプカバーの弧面の焦点の位置に設けられ、その弧面構造により、ＬＥＤ光源の面積が小さいため生じる高い輝度が原因のまぶしい、目がちかちかするといった現象を解消している。しかし、その側方への照射角度が狭く、１８０度以上の後方照射ができない。
【先行技術文献】
【特許文献】
【０００３】
【特許文献１】中華民国第Ｍ３０６２９９号明細書
【特許文献２】中華民国第Ｍ３４７５２０号明細書
【考案の概要】
【考案が解決しようとする課題】
【０００４】
本考案は、光に異なる媒介を通過させ、その屈折率の違いにより、全反射或いは法線から大幅にずれた射出角度を生じさせ、光の側方への分布を更に広範囲にする高効率側射屈折体を提供することを目的とする。
【０００５】
また、本考案は、光の側射效果により、各種照明に幅広く適用することができる高効率側射屈折体を提供することを目的とする。
【課題を解決するための手段】
【０００６】
本考案による高効率側射屈折体は、光源収容室と、該光源収容室に対向する主屈折面とを具え、該光源収容室には光源を嵌設し、該屈折体の周縁部には、該光源から放出された光を屈折させるための、第一補助屈折面と、第二補助屈折面とが形成される。
【図面の簡単な説明】
【０００７】
【図１】本考案の外観を示す斜視図である。
【図２】本考案の断面図である。
【図３】本考案と光源を分離させた状態を示した説明図である。
【図４】本考案の実施例１を使用した状態を示した説明図である。
【図５】本考案を美術照明に取り付けた状態を示した説明図である。
【図６】本考案の実施例２の断面図である。
【図７】本考案の実施例３の断面図である。
【図８】本考案の実施例４の断面図である。
【考案を実施するための形態】
【０００８】
（実施例１）
図１と図２を参照する。図１は本考案の外観を示す斜視図であり、図２は本考案の断面図である。図に示すように、本考案による屈折体１００は円形であり、光源収容室１と主屈折面２とを具える。光源収容室１には光源を嵌設し、光源収容室１は光を通す透光面１１を具える。光源収容室１の両側には透光面１１と隣接する内壁１２を具える。主屈折面２はＶ字型であり、光源収容室１に対向する。以上の構造により、光源収容室１に嵌設された光源から放出された光は、主屈折面２に照射された後、臨界角より大きいため全反射を起こし、屈折体１００の側縁へと放出される。
【０００９】
本考案の屈折体１００の周縁部には、第一補助屈折面３と、第二補助屈折面４と、第三補助屈折面５とが形成される。第一補助屈折面３は、主屈折面２と隣接するとともに、主屈折面２との間に所定の第一角度θ１を形成する。それにより、光源から放出された光は臨界角より大きいため主屈折面２によって全反射を起こし、さらに第一補助屈折面３によって屈折し、その光は屈折体１００の側縁へ放出される。第二補助屈折面４は、第一補助屈折面３に隣接するとともに、第一補助屈折面３との間に所定の第二角度θ２を形成する。それにより、光源から放出された光は第二補助屈折面４によって屈折した後、屈折体１００の側縁へ放出される。第三補助屈折面５は、第二補助屈折面４に隣接するとともに、第二補助屈折面４との間に所定の第三角度θ３を形成し、さらに、第三補助屈折面５は、光源収容室１の内壁１２と平行である。それにより、光源から放出された光は第三補助屈折面５を通過した後、屈折体１００の側縁へ放出される。
【００１０】
図３と図４を参照する。図３は本考案と光源を分離させた状態を示した説明図であり、図４は本考案の実施例１を使用した状態を示した説明図である。図に示すように、本考案の屈折体１００とＬＥＤ光源６を連結させる際、ＬＥＤ光源６を本考案の光源収容室１に嵌設することにより、ＬＥＤ光源６から生じる光は、本考案の屈折体１００によって側縁へ放出される。
【００１１】
ＬＥＤ光源６を本考案の屈折体１００の光源収容室１に嵌設し、ＬＥＤ光源６を発光させると、光の一部は、光源収容室１の透光面１１を通過した後、上に向かって投射され主屈折面２に達する。そして、主屈折面２はＶ字型であるとともに、若干円弧状を呈しているため、ＬＥＤ光源６から放出された光は主屈折面２に投射され、全反射を起こした後、本考案の第一補助屈折面３に投射される。
【００１２】
光が第一補助屈折面３に投射された時、光が通過する異なる媒介の屈折率の違いにより、全反射或いは法線から大幅にずれた射出角度が生じる。従って、ＬＥＤ光源６から放出された光が主屈折面２によって第一補助屈折面３に全反射された時、光は屈折して第一法線Ｌ１からずれた射出角度が生じる。
【００１３】
また、光源収容室１に嵌設したＬＥＤ光源６を発光させる時、光はＬＥＤ光源６から四方へと放出されるため、光の一部は、光源収容室１の両側の内壁１２を通過した後、本考案の第二補助屈折面４に投射される。この時、第二補助屈折面４に投射された光は、通過した異なる媒介の屈折率の違いにより、全反射或いは法線から大幅にずれる屈折現象が生じ、第二法線Ｌ２からずれた射出角度が生じる。
【００１４】
また、ＬＥＤ光源６を発光させる時、光は光源の四方へと放出されるため、その光の一部は、ＬＥＤ光源６の両側から光源収容室１の内壁１２を通過し、本考案の第三補助屈折面５に投射される。この時、ＬＥＤ光源６から放出される光は、第三補助屈折面５に対してほぼ垂直関係になるため、この時の屈折角度はほぼ零度であり、第三補助屈折面５によって屈折した光は、第三法線Ｌ３に平行の角度で、本考案の側縁へと射出される。
【００１５】
ＬＥＤ光源６を本考案の光源収容室１に嵌設し、ＬＥＤ光源６を発光させる時、そこから放出された光は、臨界角より大きいため本考案の主屈折面２により全反射を起こした後、本考案の第一補助屈折面３と第二補助屈折面４による屈折効果により大部分の光は屈折し、ＬＥＤ光源６から放出された光は本考案の側縁へと均一に放出される。従って、照明器具の照射範囲を広げることができるだけでなく、照明器具の美しさと可視性を大幅に向上させることができ、本考案は、卓上照明、スタンド照明、吊り下げ式照明、はめ込み式照明、装飾照明などの各種照明に幅広く適用することができる。
【００１６】
図５は、本考案を美術照明に取り付けた状態を示した説明図である。図に示すように、本考案の屈折体１００を美術照明７に取り付ける場合、美術照明７のケース７１から見ると、本考案によって美術照明７の大部分の光が美術照明７の側縁へ放出されるため、投射される光が側邊へ照射されないという問題をかかえた従来のＬＥＤランプを改良し、ＬＥＤが正面に発光するためランプの周囲が薄暗くなるという従来技術の欠点を解決し、美術照明７全体を更に明るく美しくするという効果がある。
【００１７】
（実施例２）
図６は、本考案の実施例２の断面図である。図に示すように、本実施例の構造と作用原理は、実施例１とほぼ同じであるため、同じ部材は同じ符合で記載する。実施例１との違いは、本実施例の屈折体２００は主屈折面２の角度を変えており、さらに、主屈折面２と第一補助屈折面３の間の第一角度θ１も主屈折面２の角度の変化に応じて変えている。それにより、主屈折面２の全反射效果が向上し、光源収容室１に嵌設された光源から放出された光が主屈折面２によって第一補助屈折面３に全反射する際の光の分布が更に広範囲になる。
【００１８】
（実施例３）
図７は、本考案の実施例３の断面図である。図に示すように、本実施例の構造と作用原理は、実施例１とほぼ同じであるため、同じ部材は同じ符合で記載する、実施例１との違いは、本実施例の屈折体３００は、第一補助屈折面３の角度を変えており、さらに、主屈折面２と第一補助屈折面３の間の第一角度θ１、及び、第一補助屈折面３と第二補助屈折面４の間の第二角度θ２も第一補助屈折面３の角度の変化に応じて変えている。光源収容室１に嵌設された光源から放出された光が主屈折面２によって第一補助屈折面３に全反射された後、第一補助屈折面３の角度を変えることによって、第一補助屈折面３によって屈折した後の光の分布が更に広範囲になり、より優れた照射効果が生じる。
【００１９】
（実施例４）
図８は、本考案の実施例４の断面図である。図に示すように、本実施例の構造と作用原理は、実施例１とほぼ同じであるため、同じ部材は同じ符合で記載する、実施例１との違いは、本実施例の屈折体４００は第二補助屈折面４の角度を変えており、さらに、第一補助屈折面３と第二補助屈折面４の間の第二角度θ２も、第二補助屈折面４の角度の変化に応じて変えている。光源から放出された光が光源収容室１の内壁１２を通過して第二補助屈折面４に投射される時、第二補助屈折面４の角度を変えることによって、光が第二補助屈折面４によって屈折した後の光の分布が更に広範囲になり、より優れた照射効果が生じる。
【符号の説明】
【００２０】
１００、２００、３００、４００  屈折体
１        光源収容室
１１      透光面
１２      内壁
２        主屈折面
３        第一補助屈折面
４        第二補助屈折面
５        第三補助屈折面
６        ＬＥＤ光源
７        美術照明
７１      ケース
Ｌ１      第一法線
Ｌ２      第二法線
Ｌ３      第三法線
θ１      第一角度
θ２      第二角度
θ３      第三角度
【図１】
0003160210.tif 000003
【図２】
0003160210.tif 000004
【図３】
0003160210.tif 000005
【図４】
0003160210.tif 000006
【図５】
0003160210.tif 000007
【図６】
0003160210.tif 000008
【図７】
0003160210.tif 000009
【図８】
0003160210.tif 000010